(57)【特許請求の範囲】
【請求項１】
表示ユニットと、児が収容されることができるエンクロージャと、この表示ユニットが取り付けられる取り付け箇所とを備え、
上記表示ユニットが、上記エンクロージャ内の保育環境についての情報を表示することができる表示ユニット本体と、上記表示ユニットを上記取り付け箇所に取り付けることができる取り付け機構とを備えている保育器において、
上記取り付け機構が、上記表示ユニットを上記取り付け箇所に取り付けるための吸盤式の吸着手段を備え、
上記取り付け機構が、上記吸盤式吸着手段を保持しているベース部材と、このベース部材に対して往動および復動させることができる操作手段とを備え、
上記ベース部材が、上記吸盤式吸着手段をループ状に押圧することができるループ状の押圧部を備え、
上記吸盤式吸着手段を上記取り付け箇所に圧着させた状態において上記操作手段を往動させたときには、上記吸盤式吸着手段が上記ベース部材の上記ループ状押圧部によってそのループ状の領域を押圧されるとともに、上記吸盤式吸着手段のうちの上記ループ状領域に囲まれる部分が上記取り付け箇所から離間することによって、上記吸盤式吸着手段と上記取り付け箇所との間に負圧が形成されるように構成され、
上記操作手段が上記吸盤式吸着手段に往復回動可能に取り付けられ、
上記取り付け箇所が、上記エンクロージャの天面フードの天板部の外側面によって構成され、
上記表示ユニット本体が、上記取り付け機構にほぼ水平方向に回動可能に支持されるとともに、上記取り付け機構に起伏方向に回動可能に支持されていることを特徴とする保育器。
【請求項２】
上記ベース部材に対して上記吸盤式吸着手段をほぼ下方に向かって弾性的に付勢する弾性付勢手段が、上記ベース部材と上記吸盤式吸着手段との間に介装されていることを特徴とする請求項１に記載の保育器。
【請求項３】
上記エンクロージャ内の上記保育環境についての上記情報が、児の体温と、器内温についての設定温度または児の体温についての設定温度と、器内温と、保育器内の湿度と、保育器内の湿度についての設定湿度とを含んでいることを特徴とする請求項１または２に記載の保育器。
【請求項４】
上記表示ユニット本体が、操作ユニット本体兼用の表示ユニット本体によって構成され、
上記表示ユニット本体が、上記エンクロージャ内の上記保育環境についての上記保育器の運転状態を変更するかあるいは切り替えるために操作される操作部を含んでいることを特徴とする請求項１、２または３に記載の保育器。
【発明の詳細な説明】
【技術分野】
【０００１】
本発明は、表示ユニットと、児が収容されることができるエンクロージャと、この表示ユニットが取り付けられる取り付け箇所とを備え、上記表示ユニットが、上記エンクロージャ内の保育環境についての情報を表示することができる表示ユニット本体と、上記表示ユニットを上記取り付け箇所に取り付けることができる取り付け機構とを備えている保育器に関するものである。
【背景技術】
【０００２】
上述のような保育器は、例えば特許文献１に記載されている。そして、この特許文献１の保育器は、天面フードが取り付けられている支柱と、この天面フード用の支柱に取り付けられている操作ユニット兼用の表示ユニットとを備えている。また、上記操作ユニット兼用の表示ユニットは、操作ユニット本体兼用の表示ユニット本体と、この操作ユニット本体兼用の表示ユニット本体を上記天面フード用支柱に取り付けるために、上記天面フード用支柱にほぼ同心状に取り付けられることができる取り付け機構とを備えている。さらに、上記取り付け機構は、上記天面フード用支柱に回動可能に取り付けられる円筒部と、この円筒部からほぼ水平方向に突出している取り付けアーム部と、操作ユニット本体兼用の表示ユニット本体の背面からほぼ後方に向かって突出している取り付け部と、上記取り付け部を上記取り付けアーム部に回動可能に軸支している水平軸とを備えている。したがって、特許文献１の保育器においては、上記円筒部を上記天面フード用支柱の高さ方向における適当な位置において上記天面フード用支柱に取り付けておけば、医師、看護師などの取扱者が、操作ユニット本体兼用の表示ユニット本体の操作部を比較的容易に操作することができるとともに、操作ユニット本体兼用の表示ユニット本体の表示部を、保育器の近くで、比較的容易に視認することができる。
【先行技術文献】
【特許文献】
【０００３】
【特許文献１】特表２００２−５２８１４２号公報
【発明の概要】
【発明が解決しようとする課題】
【０００４】
しかし、特許文献１の保育器においては、エンクロージャ内の児用マット上に横たわっている児に対して診察、処置、保育などを施しつつある取扱者は、操作ユニット本体兼用の表示ユニット本体の表示部を細部にわたって正確に視認しようとすれば、エンクロージャ内の児に向けていた視線の向きを大きく変えて、視線を上記表示部に向け直す必要がある。特に、視力があまり良くない取扱者の場合には、視線の向きを大きく変えて視線を上記表示部に向けるだけでなく、上記表示部（換言すれば、上記天面フード用支柱）に近づいてから、この表示部を細部にわたって正確に視認する必要がある。さらに、取扱者が操作ユニット本体兼用の表示ユニット本体の操作部を操作したい場合には、エンクロージャの前側の壁部の中央部分付近から天面フード用支柱付近まで歩いた後に、上記操作部を操作する必要がある。
【０００５】
本発明は、特許文献１の保育器における上述のような欠点を、比較的簡単な構成でもって、効果的に是正し得るようにしたものである。
【課題を解決するための手段】
【０００６】
本発明は、表示ユニットと、児が収容されることができるエンクロージャと、この表示ユニットが取り付けられる取り付け箇所とを備え、上記表示ユニットが、上記エンクロージャ内の保育環境についての情報を表示することができる表示ユニット本体と、上記表示ユニットを上記取り付け箇所に取り付けることができる取り付け機構とを備えている保育器において、上記取り付け機構が、上記表示ユニットを上記取り付け箇所に取り付けるための吸盤式の吸着手段を備えていることを特徴とする保育器に係るものである。
【０００７】
なお、本発明の第１の観点においては、上記取り付け機構が、上記吸着手段を保持しているベース部材と、このベース部材に対して往動および復動させることができる操作手段とを備え、上記ベース部材が、上記吸着手段をループ状に押圧することができるループ状の押圧部を備え、上記吸着手段を上記取り付け箇所に圧着させた状態において上記操作手段を往動させたときには、上記吸着手段が上記ベース部材の上記ループ状押圧部によってそのループ状の領域を押圧されるとともに、上記吸着手段のうちの上記ループ状領域に囲まれる部分が上記取り付け箇所から離間することによって、上記吸着手段と上記取り付け箇所との間に負圧が形成されるように構成されている。そして、本発明の第２の観点においては、上記操作手段が上記吸着手段に往復回動可能に取り付けられている。また、本発明の第３の観点においては、上記取り付け箇所が上記エンクロージャの天面フードの天板部の外側面によって構成されている。そして、本発明の第４の観点においては、上記エンクロージャ内の上記保育環境についての上記情報が、児の体温と、器内温についての設定温度または児の体温についての設定温度と、器内温と、保育器内の湿度と、保育器内の湿度についての設定湿度とを含んでいる。そして、本発明の第５の観点においては、上記表示ユニット本体が操作ユニット本体兼用の表示ユニット本体によって構成され、上記表示ユニット本体が上記エンクロージャ内の上記保育環境についての上記保育器の運転状態を変更するかあるいは切り替えるために操作される操作部を含んでいる。
【発明の効果】
【０００８】
本発明によれば、表示ユニットは、取扱者がその表示部を視認し易い箇所（例えば、請求項４に記載の発明の場合のように、エンクロージャの天面フードの天板部の外側面）に吸盤式吸着手段によって比較的簡単に取り付けられることができる。したがって、エンクロージャ内の児に対して診察、処置、保育などを施しつつある取扱者は、診察、処置、保育などを施すことをほとんど中止することなく、表示ユニット本体の表示部を細部にわたって比較的正確に視認することができる。
【０００９】
また、請求項２に記載の発明によれば、吸盤式吸着手段を取り付け箇所に圧着させた状態において操作手段を往動させることによって、吸着手段を負圧によって取り付け箇所に取り付けることができるから、取り付け箇所への吸着手段の取り付け操作が比較的簡単である。さらに、請求項３に記載の発明によれば、上記取り付け操作がさらに簡単であるとともに、操作手段およびその関連機構の構成を比較的簡単にすることができる。
【００１０】
また、請求項５に記載の発明によれば、取扱者は、表示ユニット本体の表示部を視認するだけでもって、児の体温と、器内温についての設定温度または児の体温についての設定温度と、器内温と、保育器内の湿度と、保育器内の湿度についての設定湿度とを、エンクロージャ内の保育環境についての情報として、比較的簡単に知得することができる。さらに、請求項６に記載の発明によれば、取扱者は、比較的近くに配置することができる表示ユニット本体の操作部を単に操作することによって、エンクロージャ内の保育環境についての保育器の運転状態の変更または切り替えを比較的簡単に行うことができる。
【図面の簡単な説明】
【００１１】
【図１】本発明を閉鎖型保育器兼用の開放型保育器に適用した−実施例における保育器の、閉鎖型の状態での斜視図である。（実施例１）
【図２】図１に示す保育器の、図１と同様の閉鎖型の状態での前側の側面図である。（実施例１）
【図３】図１に示す操作ユニット兼用の表示ユニットの正面図である。（実施例１）
【図４】天面フードを部分的に含めた状態での図３のＡ−Ａ線における断面図である。（実施例１）
【図５】図３のＢ−Ｂ線における断面図である。（実施例１）
【図６】取り付け部機構を天面フードに取り付ける直前の状態を示す、図４と同様の縦断面図である。（実施例１）
【図７】取り付け機構を天面フードに取り付け初めた状態を示す、図４と同様の縦断面図である。（実施例１）
【図８】取り付け機構を天面フードに取り付け終る直前の状態を示す、図４と同様の縦断面図である。（実施例１）
【図９】図１に示す操作ユニット兼用の表示ユニットの操作および表示に関連する電気系統の概略的なブロック図である。（実施例１）
【発明を実施するための最良の形態】
【００１２】
本発明を閉鎖型保育器兼用の開放型保育器に適用した−実施例を、「１、保育器全体の概略的な構成」、「２、操作ユニット兼用の表示ユニットの構成」および「３、操作ユニット兼用の表示ユニットの動作」に項分けして、図面を参照しつつ説明する。
【００１３】
１、保育器全体の概略的な構成
【００１４】
保育器１は、図１および図２に示すように、平面的に見てほぼ長方形状などの基台２と、この基台２のほぼ外周囲に沿って立設されているほぼ直方体形状などのエンクロージャ３とを備えている。そして、基台２上には、臥床架（図示せず）が配置されている。また、この臥床架上に配置されている児用のマット（図示せず）の上面には、必要に応じて薄いシーツ（図示せず）が敷かれてから、未熟児などの児が、上記児用マット上に横たわらされて、診察、処置、保育などを施される。さらに、エンクロージャ３は、全体としてほぼ透明であってよく、前側の壁部４、後側の壁部（図示せず）、頭側（換言すれば、基端部側）の壁部５および脚側（換言すれば、先端部側）の壁部６をそれぞれ備えている。そして、前側の壁部４、上記後側の壁部、頭側の壁部５および脚側の壁部６によって、平面的に見てほぼ長方形状などの周囲枠部が構成されている。また、前側の壁部４、上記後側の壁部、脚側の壁部６などは、フェンスまたは処置窓を構成しているので、児に対する診察、処置、保育などを任意の方向から施すことができるようにするために、ほぼ下方に向かって往回動することまたはほぼ下方に向ってほぼ直線的に往動することなどによって開放され得るように構成されている。さらに、前側の壁部４、上記後側の壁部などには、左右一対などの手入れ窓７が配置されていてよい。なお、上述のように、前側の壁部４、上記後側の壁部および脚側の壁部６が完全に開放されたときには、保育器１を蘇生処置用の装置としても用いることができる。
【００１５】
図１および図２に示す基台２は、ほぼ水平方向に延在するフレーム８に取り付け支持されている。そして、このフレーム８は、メイン支柱１１に支持されている。また、このメイン支柱１１は、それぞれが車輪１２付きの合計で例えば４本の腕部を有する左右一対のベース１３に取り付け支持されている。さらに、これら一対のベース１３は、共通の連結部材９によって、互いに連結されている。そして、この連結部材９には、メイン支柱１１が立設されている。また、図１および図２に示すメイン支柱１１に取り付け支持されているフレーム８には、図１に示すように互いにほぼ左右対称であってよい左右一対のサブ支柱１４ａ、１４ｂが、共通の連結部材２２を介して、取り付け支持されている。そして、これら左右一対のサブ支柱１４ａ、１４ｂは、頭側の壁部５から外方側に遠ざかる方向に向かってエンクロージャ３から離間した状態でもって、頭側の壁部５よりもさらに外方側に配置されている。
【００１６】
エンクロージャ３は、図１および図２に示すように、天面フード１５をさらに備えている。そして、左右一対のサブ支柱１４ａ、１４ｂのうちの図１における例えば左側の加熱器用サブ支柱１４ａには、図１に示すように、加熱器１６が支持軸１７によって取り付け支持されている。また、図１における例えば右側の天面フード用サブ支柱１４ｂには、天面フード１５が支持腕１８によって取り付け支持されている。この場合、天面フード１５は、ほぼ四角錐台形状などであってよく、また、その下面が開放された中空体であってよい。したがって、エンクロージャ３は、前記周囲枠部と、この周囲枠部の上端開口を選択的に覆うことができる天面フード１５とを備えている。そして、図１および図２に示す閉鎖型の状態での保育器１においては、エンクロージャ３は、ごく小さいほぼ小屋形状に構成されている。なお、左右一対のベース１３のうちの前側のベース１３には、前後一対のフットスイッチ１９ａ、１９ｂが互いに隣接して配設されている。そして、操作者が前側のフットスイッチ１９ａを足などで押圧操作したときには、フレーム８がメイン支柱１１に対して下降するので、このフレーム８に取り付けられている基台２などが同様に下降する。また、操作者が後側のフットスイッチ１９ｂを足などで押圧操作したときには、フレーム８がメイン支柱１１に対して上昇するので、このフレーム８に取り付けられている基台２などが同様に上昇する。
【００１７】
図１および図２に示す加熱器用サブ支柱１４ａおよび天面フード用サブ支柱１４ｂのそれぞれは、固定支柱２１および可動支柱（図示せず）から成っている。そして、左右一対のサブ支柱１４ａ、１４ｂの固定支柱２１の下端部は、共通の連結部材２２を介してフレーム８に取り付け支持されている。また、上記一対の可動支柱は、従動歯車、駆動用チェーン、駆動歯車、電動モータなどの昇降駆動機構（いずれも図示せず）によって、固定支柱２１内を上下方向にそれぞれ往復駆動（換言すれば、昇降駆動であって、固定支柱２１に対して伸縮可能に駆動）されるように構成されている。そして、天面フード１５が上記可動支柱の上昇にともなって上昇位置まで移動したときには、保育器１は、開放型保育器として機能する。また、天面フード１５が上記可動支柱の下降にともなって図１および図２に示すように下降位置まで移動したときには、保育器１は、閉鎖型保育器として機能する。さらに、この閉鎖型保育器として機能するときには、加熱器１６は、その使用状態（この場合には、使用状態であっても少量の熱線しか放射されない。）においては、上記可動支柱の上昇にともなって上昇位置（図示せず）に留まり、その不使用状態においては、上記可動支柱の下降にともなって図１および図２に示す下降位置まで移動していてよい。なお、加熱器１６およびその回動駆動機構のそれぞれの構成や加熱器１６と天面フード１５との相互の関係を含む保育器１の全体構成の詳細は、本発明の要旨ではないので、その詳細な図示および詳細な説明は、本文においては省略する。
【００１８】
基台２の脚側の壁部６側には、図１に示すように、開閉用ドア２５が配設されている。そして、この開閉用ドア２５は、加湿器としての加湿ユニット（図示せず）を保育器本体２６の基台２に装着したり取り出したりするのに用いられる開口２４を開閉することができる。また、天面フード１５のほぼ平坦な天板部（換言すれば、平板部）２７の外側面には、図１および図２に示すように、操作ユニット兼用の表示ユニット３１（以下、本明細書においては、単に、「表示ユニット３１」ともいう。）が天面フード１５に対して着脱可能に取り付けられている。なお、表示ユニット３１の構成および動作については、それぞれ後述する「２、操作ユニット兼用の表示ユニットの構成」および「３、操作ユニット兼用の表示ユニットの動作」の項において詳細に説明する。
【００１９】
２、操作ユニット兼用の表示ユニットの構成
【００２０】
表示ユニット３１は、図１〜図３に示すように、操作ユニット本体兼用の表示ユニット本体３２（以下、本明細書においては、単に、「表示ユニット本体３２」ともいう。）と、この表示ユニット本体３２を天面フード１５に取り付けるための取り付け機構３３とを備えている。そして、表示ユニット本体３２は、図３に示すように、操作パネル兼用の表示パネル３４（以下、本明細書においては、単に、「操作／表示パネル３４」ともいう。）と、この操作／表示パネル３４の前面以外の部分をほぼ覆っている縁部材３５とを備えている。また、縁部材３５のほぼ下面には、それぞれほぼ平板形状であってよい左右一対の被取り付け部３６ａ、３６ｂが突設されている。
【００２１】
図３に示す操作／表示パネル３４のうちの縁部材３５から露出している露出部分４１には、それぞれが左右方向に延在している上下５列（換言すれば、上下５段）の表示部列４２ａ〜４２ｄまたは操作部列４３が配置されている。この場合、１段目〜４段目の各種の表示部列４２ａ〜４２ｄは、保育器１の保育環境などの各種の情報を表示することができるように構成されている。すなわち、１段目の表示部列４２ａには、警報表示などの各種の図形などが必要に応じて表示される。具体的には、１段目の表示部列４２ａにおいては、表示部５１は、警報音停止表示灯であって、警報音を停止させた状態になったときに点灯する。そして、表示部５２は、体温プローブ警報表示灯であって、児の体温を検出するのに用いられる体温プローブ（換言すれば、体温センサ）９１（図９参照）の断線、ショートおよび／または未接続の場合に、点滅状態で点灯する。また、表示部５３は、設定温度警報表示灯であって、児の体温の表示または保育器１内の温度（すなわち、器内温）が設定温度付近を超えた状態が続いた場合に点灯する。さらに、表示部５４は、過温警報表示灯であって、器内温が設定温度付近を超えた場合に点滅する。そして、表示部５５は、ファン警報表示灯であって、基台２内に配置されているファン９２（図９参照）および／またはその関連部分に不具合が生じた場合に点灯または点滅する。また、表示部５６は、システム警報表示灯であって、ＣＰＵ（すなわち、中央処理装置）５９（図９参照）が正常であるにもかかわらず、保育器１の各種のシステムに何らかのエラーが生じたときに点滅する。さらに、表示部５７は、停電警報表示灯であって、動作電源およびその関連部分やＣＰＵおよび制御基板に何らかの異常が生じたときに点滅する。そして、表示部５８は、電源通電表示灯であって、商用電源から保育器１に通電されている状態で点灯する。
【００２２】
図３に示す２段目の表示部列４２ｂにおいては、表示部６１は、体温表示であって、児の体温を検出するのに用いられる前記体温プローブから検出された体温を表示する。そして、表示部６２は、設定温度表示であって、マニュアルコントロールのときには、器内温についての設定温度を表示し、サーボコントロールのときには、児の体温についての設定温度を表示する。また、表示部６３は、器内温度表示であって、器内温を表示するとともに、器内温を測定するためのセンサーモジュールが正しく取り付けられていないときには点滅する。さらに、３段目の表示部列４２ｃにおいては、表示部６４〜６７のそれぞれは、モード表示灯であって、詳細な説明を省略して簡略に説明すると、保育器１の各種の使用モード（換言すれば、運転モード）のうちのいずれかの使用モードを設定するときに点滅するとともに、この設定した使用モードで使用しているときには点灯する。そして、４段目の表示部列４２ｄのうちの左半分における表示部７１〜７３のそれぞれは、警報表示灯であって、詳細な説明を省略して簡略に説明すると、前記加湿ユニットの使用状態に不都合な点が生じたときに、点灯または点滅する。また、４段目の表示部列４２ｄのうちの右半分における表示部７４は、器内湿度表示であって、保育器１内の湿度を表示する。さらに、上記右半分における表示部７５は、設定湿度表示であって、保育器１内の湿度についての設定湿度を表示する。
【００２３】
図３に示す５段目の操作部列４３には、保育器１の保育環境などについての各種の運転状態を変更したり切り替えたりするのに用いられる各種のスイッチ操作部８１〜８７が配置されている。具体的には、５段目の操作部列４３においては、操作部８１は、湿度設定スイッチ操作部であって、このスイッチ操作部８１を適当時間押し続けることによって、後述のスイッチ操作部８５、８６による湿度設定値の変更が可能になる。そして、操作部８２は、オーバーライド設定スイッチ操作部であって、器内温設定操作中または体温設定操作中にこのスイッチ８２を押すことによって、器内温または児の体温の設定範囲の上限を拡大することができる。また、操作部８３は、サーボコントロールモード切替／設定スイッチ操作部であって、このスイッチ操作部８３を適当時間押し続けることによって、体温設定値を変更することまたはマニュアルコントロールモードからサーボコントロールモードに変更することを行うことができる。さらに、操作部８４は、マニュアルコントロールモード切替／設定スイッチ操作部であって、このスイッチ操作部８４を適当時間押し続けることによって、器内温設定値を変更することまたはサーボコントロールモードからマニュアルコントロールモードに変更することを行うことができる。そして、操作部８５は、設定値減少スイッチ操作部であって、スイッチ操作部８１、８３または８４を適当時間押し続けてから、このスイッチ操作部８５を押すことによって器内温、体温または湿度の設定値を減少させることができるとともに、このスイッチ操作部８５を押し続けることによって器内温、体温または湿度の設定値を連続的に減少させることができる。また、操作部８６は、設定値増加スイッチ操作部であって、スイッチ操作部８１、８３または８４を適当時間押し続けてから、このスイッチ操作部８６を押すことによって器内温、体温または湿度の設定値を増加させることができるとともに、このスイッチ操作部８６を押し続けることによって器内温、体温または湿度の設定値を連続的に増加させることができる。さらに、操作部８７は、警報音停止スイッチ操作部であって、警報の発報中にこのスイッチ操作部８７を押したときに、警報音が停止して、既述の警報音停止表示灯５１が点灯する。なお、操作部８３、８４に関連してそれぞれ上述したマニュアルコントロールおよびサーボコントロールについて説明を追加すると、マニュアルコントロールとは、器内温を或る設定値に設定した状態において保育器１内を加温制御することを意味している。そして、サーボコントロールとは、児の体温を或る設定値に設定した状態において、保育器１内を加温制御することを意味している。
【００２４】
取り付け機構３３は、図３〜図８に示すように、主要構成部材として、ベース部材１０１、吸盤部材１０２、操作レバー（換言すれば、操作部材または操作手段）１０３および支持部材１０４を備えている。そして、ベース部材１０１は、ベース部材本体１０５と軸受け部１０６とを備えている。また、このベース部材本体１０５は、ほぼ丸型のスープ皿を裏返しにした形状をほぼ有するとともに、吸盤部材１０２を保持している。さらに、軸受け部１０６は、ほぼ円柱形状のコップを引っくり返した形状を有するようにこのベース部材本体１０５と一体成形されるとともに、このベース部材本体１０５の軸心と外周囲との間にほぼ位置している。そして、吸盤部材１０２は、その下面が凹んでいるほぼ丸型の外側形状を有しかつゴムなどの弾性材料から成る吸盤本体１０７と、この吸盤本体１０７に一体的に結合されかつ硬質プラスチックなどの硬質材料から成る軸受け部１０８とを備えている。なお、この軸受け部１０８は、吸盤本体１０７に埋設されている鍔部１１１をその下端に有している。そして、軸受け部１０８は、吸盤本体１０７に埋設されるとともに、この吸盤本体１０７の上側面から上方に突出している。また、ベース部材１０１と吸盤部材１０２との間には、ベース部材１０１に対して吸盤部材１０２をほぼ下方に向かって弾性的に付勢するほぼ円錐台形状などのコイルばね１１３がばね手段（換言すれば、弾性付勢手段）として介装されている。さらに、このコイルばね１１３には、支持軸部１０８が貫通している。そして、この支持軸部１０８の上端部付近には、操作部材または操作手段としての操作レバー１０３の基端部付近が、軸支手段としての支軸１１４によって、回動可能に軸支されている。なお、操作レバー１０３の基端部付近には、カム部１１５が一体成形などにより一体的に突設されている。また、操作レバー１０３の先端部付近には、滑り止め用の突起部１１６が設けられている。
【００２５】
ベース部材１０１の軸受け部１０６には、図３〜図８に示すように、支持部材１０４の被支軸部１１７が回動可能に軸支されている。具体的には、支持部材１０４は、ほぼ下方に突設されている被支軸部１１７を有している。そして、この被支軸部１１７は、軸受け部１０６の上面を貫通して下方に延在している。また、軸受け部１０６の上面と支持部材１０４との間には、被支軸部１１７に挿入されているワッシャ１２１が介装されている。さらに、被支軸部１１７には、その下端からワッシャ１２２、１２３、皿ばね１２４およびナット１２５が順次はめ込まれている。そして、被支軸部１１７の先端部に設けられている雄ねじ部にナット１２５がねじ込まれることによって、被支軸部１１７（ひいては、支持部材１０４）がベース部材１０１に対してほぼ水平方向に回動可能に支持されている。
【００２６】
表示ユニット本体３２の左右一対の被取り付け部３６ａ、３６ｂは、図３〜図５に示すように、支持軸としてのボルト１２６と左右一対の筒状部材１２７ａ、１２７ｂとをそれぞれ介して、取り付け機構３３の支持部材１０４に支持されている。具体的には、支持部材１０４の取り付け孔１３１には、左側の筒状部材１２７ａの右側の端部に設けられている径小部１３２と、右側の筒状部材１２７ｂの左側の端部に設けられている径小部１３３とが、左右両側からそれぞれ嵌合している。そして、ボルト１２６は、右側被取り付け部３６ｂ、右側筒状部材１２７ｂ、支持部材１０４、左側筒状部材１２７ａおよび左側被取り付け部３６ａをそれぞれ貫通して、延在している。なお、ボルト１２６の頭部と右側被取り付け部３６ｂとの間には、この頭部側から皿ばね１３４および３枚のワッシャ１３５が順次はめ込まれている。そして、右側被取り付け部３６ｂと右側筒状部材１２７ｂとの間には、ワッシャ１３６がはめ込まれている。また、左側筒状部材１２７ａと左側被取り付け部３６ａとの間には、ワッシャ１３７がはめ込まれている。また、さらに、左側被取り付け部３６ａとボルト１２６の先端部との間には、左側被取り付け部３６ａ側から２枚のワッシャ１３８および皿ばね１３９が順次はめ込まれている。さらに、ボルト１２６の先端部に設けられている雄ねじ部にナット１４１がねじ込まれることによって、左右一対の被取り付け部３６ａ、３６ｂ（ひいては、表示ユニット本体３２）は、支持部材１０４に対して起伏方向に回動可能に支持されている。なお、ボルト１２６の両端部には、左右一対のキャップ部材１０９ａ、１０９ｂがそれぞれ取り付けられている。そして、これら左右一対のキャップ部材１０９ａ、１０９ｂの両側面にそれぞれ形成されたリブが、ボルト１２６の頭部とナット１４１とにそれぞれ嵌合している。
【００２７】
図９は、表示ユニット３１（換言すれば、表示ユニット本体３２）の動作に関連する電気系統がブロック図で概略的に示されている。なお、保育器本体２６の基台２内には、ＣＰＵ５９と、図９に示す被制御機器群１４２と、図９に示すセンサ群１４３のうちの水位センサ１４４とのそれぞれが、配置されている。そして、保育器本体２６のエンクロージャ３内には、図９に示すセンサ群１４３のうちの温度センサ１４５、湿度センサ１４６、酸素センサ１４７および体温センサ９１のそれぞれが、配置されている。また、被制御機器群１４２には、ヒータ１５１、ファン９２および加湿器用ヒータ１５２のそれぞれが、含まれている。さらに、表示ユニット３１（換言すれば、表示ユニット本体３２）には、表示灯群１５３、設定値表示器群１５４、測定値表示器群１５５および操作スイッチ群１５６のそれぞれが、含まれている。なお、図示を省略したが、表示ユニット本体３２は、基台２の内部に配置されているＣＰＵ５９などの制御部に、電気コードで接続されるように構成されている。そして、この電気コードのためのコンセントは、表示ユニット本体３２の背面と基台２の側面とにそれぞれ配設されている。
【００２８】
図９に示すセンサ群１４３のそれぞれのセンサからの検出出力は、ＣＰＵ５９にそれぞれ入力されるように構成されている。そして、被制御機器群１４２のそれぞれの被制御機器には、ＣＰＵ５９からの制御信号が供給されるように構成されている。また、ＣＰＵ５９は、表示ユニット３１のうちの表示灯群１５３および測定値表示器群１５５に制御信号をそれぞれ供給するとともに、設定値表示器群１５４および操作スイッチ群１５６から制御信号をそれぞれ供給される。
【００２９】
図９に示す温度センサ１４５は、器内温を検出するように構成されている。そして、湿度センサ１４６は、エンクロージャ３内の湿度を検出するように構成されている。また、酸素センサ１４７は、エンクロージャ３内の酸素濃度を検出するように構成されている。さらに、水位センサ１４４は、加湿ユニット（図示せず）の加湿槽（図示せず）内の水位を検出するように構成されている。そして、体温センサ９１は、エンクロージャ３内の児の体温を検出するように構成されている。また、ヒータ１５１は、エンクロージャ３に送り込まれる空気を加温するように構成されている。さらに、ファン９２は、必要に応じて加温および加湿された空気をエンクロージャ３内に送り込むように構成されている。そして、加湿器用ヒータ１５２は、加湿ユニット（図示せず）内の蒸留水を加熱して蒸発させるように構成されている。また、表示灯群１５３は、図３に示す表示部列４２ａの表示部５１〜５８、表示部列４２ｃの表示部６４〜６７および表示部列４２ｄの表示部７１〜７３をそれぞれ含んでいる。さらに、設定値表示器群１５４は、図３に示す表示部列４２ｂの表示部６２および表示部列４２ｄの表示部７５をそれぞれ含んでいる。そして、測定値表示器群１５５は、図３に示す表示部列４２ｂの表示部６１、６３および表示部列４２ｄの表示部７４をそれぞれ含んでいる。また、操作スイッチ群１５６は、図３に示す操作部列４３の操作部８１〜８７をそれぞれ含んでいる。
【００３０】
３、操作ユニット兼用の表示ユニットの動作
【００３１】
図３および図５に示す操作ユニット兼用の表示ユニット３１を、図１および図２に示すように、例えば天面フード１５の上側の平板部２７に取り付ける場合には、つぎの（ａ）項〜（ｄ）項に記載の取り付け操作を行えばよい。
【００３２】
（ａ）まず、操作者は、表示ユニット３１が図６に示す初期状態に戻っていなければ、表示ユニット３１を図６に示す初期状態に戻す。具体的には、操作者は、操作レバー１０３を、支軸１１４を支点として、図４における時計方向に復回動させて、図６に示す復回動位置に持ち来す。この場合、吸盤部材１０２は、コイルばね１１３の復元力によって、図６に示すように、ベース部材１０１から離間する方向に復動する。
【００３３】
（ｂ）ついで、操作者は、表示ユニット本体３２を両手で持って、図７に示すように、取り付け機構３３を平板部２７の上側面に押し付ける。この場合、吸盤本体１０７の下側面がほぼ平坦になるので、吸盤部材１０２と平板部２７との相互の間隙がほとんど無くなる。
【００３４】
（ｃ）さらに、操作者が、表示ユニット本体３２を両手で持ったままで、この表示ユニット本体３２をほぼ下方に押すことによって、取り付け機構３３を平板部２７の上側面に押し付け続けると、取り付け機構３３は、図８に示す状態になる。この場合、ベース部材１０１の外周部分１６２の下側部が吸盤本体１０７の外周部分１６３の上側面を強く押しつけるので、この外周部分１６３の下側面が平板部２７に強く押し付けられる。さらに、操作レバー１０３は、自重などによって、支軸１１４を支点として図８における反時計方向に往回動することができる。
【００３５】
（ｄ）ついで、操作者が、図８に示す状態において、支軸１１４を支点として操作レバー１０３を反時計方向に往回動させて、図４に示す状態にすると、軸受け部１０８（ひいては、吸盤本体１０７のうちの外周部分１６３以外の中央部分）が、操作レバー１０３によって、上方に引き上げられる。このために、吸盤本体１０７と平板部２７の中央部分との間には、ほぼ真空状態（換言すれば、負圧）の空間１６１が生じる。したがって、吸盤部材１０２（ひいては、表示ユニット３１）は、その吸着力によって、平板部２７に取り付け固定される。
【００３６】
表示ユニット３１を天面フード１５の平板部２７から取り外す場合には、つぎの（ｅ）項および（ｆ）項に記載の取り外し操作を行えばよい。
【００３７】
（ｅ）まず、操作者は、表示ユニット３１の図４に示す取り付け状態において、表示ユニット３１を支えながら、操作レバー１０３を支軸１１４を支点として図４における時計方向に復回動させて、図８に示す状態に持ち来す。この場合、吸盤本体１０７の下側面と平板部２７の上側部との間におけるほぼ真空状態の空間がほとんどなくなるので、吸盤本体１０７による平板部２７への吸着力がほとんどなくなる。
【００３８】
（ｆ）ついで、操作者は、図８に示す表示ユニット本体３２を図６に示すようにほぼ上方に持ち上げることによって、表示ユニット３１を天面フード１５から取り除くことができる。
【００３９】
図１および図２に示す閉鎖型保育器として使用されている状態において、表示ユニット本体３２のための電源スイッチ（図示せず）をオンにした場合には、図３に示す表示ユニット本体３２の操作／表示パネル３４には、保育器１のエンクロージャ３内の保育環境などについての各種の情報が表示される。例えば、図３に示す操作／表示パネル３４の表示部６１には、児の体温が、表示部６２には、器内温または児の体温についての設定温度が、また、表示部６３には、器内温が、また、表示部７４には、エンクロージャ３内の湿度が、さらに、表示部７５には、保育器１内の湿度についての設定湿度がそれぞれ表示される。なお、前述の「２、操作ユニット兼用の表示ユニットの構成」の項において説明した機能を有している操作部８１〜８７のそれぞれは、その必要に応じて適当に操作される。また、前述の「２、操作ユニット兼用の表示ユニットの構成」の項において説明した機能を有している表示部５１〜５８、６４〜６７および７１〜７３のそれぞれは、その必要に応じて適当な表示を行う。
【００４０】
以上、本発明の一実施例について詳細に説明したが、本発明は、上述の実施例に限定されるものではなく、特許請求の範囲に記載されている発明の趣旨に基づいて各種の変更および修正が可能である。
【００４１】
例えば、上述の実施例においては、本発明を閉鎖型保育器兼用の開放型保育器に適用した。しかし、本発明は、閉鎖型保育器、開放型保育器などの他の保育器にも適用することができる。
【００４２】
また、上述の実施例においては、取り付け機構３３の吸盤部材１０２を天面フード１５の天板部（換言すれば、平板部）２７の外側面に取り付けるようにした。しかし、吸盤部材１０２を天面フード１５の任意の傾斜板部１６４の外側面、前後および左右のうちのいずれかの壁部４〜６の外側面、基台２の前後および左右のうちのいずれかの壁部の外側面、連結部材２２の前後および左右のうちのいずれかの壁部の外側面、サブ支柱１４ａ、１４ｂのうちのいずれかの固定支柱２１のいずれかの側面部の外側面などの任意の面（好ましくは、ほぼ平坦な面）に取り付けたり、これら任意の面に取り付け箇所を変更したりすることができる。
【００４３】
また、上述の実施例においては、操作／表示パネル３４は、タッチパネルタイプの液晶表示パネルによって構成されてはいない。したがって、表示部５１〜５８、６１〜６３、６４〜６７および７１〜７５のそれぞれは、指などでタッチ（すなわち、接触）しても表示内容が変化しないように構成されている。また、操作部８１〜８７のそれぞれは、機械的なスイッチ操作部であって、指などで機械的な操作を行わなければ、スイッチ動作が行われない。しかし、操作／表示パネル３４は、タッチパネルタイプの液晶表示パネルから構成されていてもよい。
【００４４】
また、上述の実施例においては、表示ユニット３１が単一の吸盤部材１０２を備えている。しかし、表示ユニット３１は、複数の吸盤部材１０２を備えていてもよい。
【００４５】
また、上述の実施例においては、操作手段１０３を吸盤部材１０２に軸支手段１１４によって往復回動可能に軸支している。しかし、操作手段１０３は、往復回動以外の往復動を行うように構成されていてもよく、例えば、カムとカムフォロアとを用いて往復動するように構成されていてもよい。
【符号の説明】
【００４６】
１        保育器
３        エンクロージャ
１５      天面フード
２７      天板部（取り付け箇所、平板部）
３１      操作ユニット兼用の表示ユニット（表示ユニット）
３２      表示ユニット本体兼用の操作ユニット本体（表示ユニット本体）
３３      取り付け機構
８１      スイッチ操作部（操作部）
８２      スイッチ操作部（操作部）
８３      スイッチ操作部（操作部）
８４      スイッチ操作部（操作部）
８５      スイッチ操作部（操作部）
８６      スイッチ操作部（操作部）
８７      スイッチ操作部（操作部）
１０１    ベース部材
１０２    吸盤部材（吸盤式吸着手段）
１０３    操作レバー（操作部材、操作手段）
１６２    外周部分（ループ状押圧部）
１６３    外周部分（ループ状領域）
【図１】
0005917283.tif 000002
【図２】
0005917283.tif 000003
【図３】
0005917283.tif 000004
【図４】
0005917283.tif 000005
【図５】
0005917283.tif 000006
【図６】
0005917283.tif 000007
【図７】
0005917283.tif 000008
【図８】
0005917283.tif 000009
【図９】
0005917283.tif 000010